(57)【要約】【課題】苗載台の各条毎のリブが磨耗した際に、その交換作業が簡単・容易に行え、コスト的にも有利となる移植機を提供する。【解決手段】左右のマット苗の間を仕切るリブを縦方向に複数設けた苗載台と、該苗載台の下端側に複数の掻取口を有したエプロンを設け、前記苗載台をエプロンに対して左右往復動させながら、前記掻取口から苗植付爪でマット苗を掻取って圃場に植付ける移植機において、前記エプロンに対向するリブの下端部に、リブ本体に連続するリブピースを着脱可能に装着した。また、苗載台のリブを、その上壁部において左右に分割した半割リブの突き合わせで構成すると共に、エプロンに対向する左右の半割リブの下端部を突き合わせた状態で、両者をリブピースで結合した。【選択図】　　　　図５
2004008159.tif 000002
【特許請求の範囲】
【請求項１】
左右のマット苗の間を仕切るリブを縦方向に複数設けた苗載台と、該苗載台の下端側に複数の掻取口を有したエプロンを設け、前記苗載台をエプロンに対して左右往復動させながら、前記掻取口から苗植付爪でマット苗を掻取って圃場に植付ける移植機において、前記エプロンに対向するリブの下端部に、リブ本体に連続するリブピースを着脱可能に装着したことを特徴とする移植機。
【請求項２】
苗載台のリブを、その上壁部において左右に分割した半割リブの突き合わせで構成すると共に、エプロンに対向する左右の半割リブの下端部を突き合わせた状態で、両者をリブピースで結合することを特徴とする請求項１記載の移植機。
【発明の詳細な説明】
【０００１】
【発明の属する技術分野】
本発明は、苗載台の下端側に設けたエプロンに対して苗載台を左右往復動させながら、エプロンに設けた掻取口から苗植付爪でマット苗を掻取って圃場面に植付ける移植機に関する。
【０００２】
【従来の技術】
従来、この種の移植機の苗載台の構造は、複数の苗載面と、複数条分のマット苗の間を１条毎に縦方向に仕切るリブとをリベット等で接合して一体状に構成していた。
【０００３】
【発明が解決しようとする課題】
従って、移植機で苗の植付作業を長時間行っている内に、苗載台の左右方向への移動により苗載台の下端部分である各条毎のリブの下端と、苗載台の下方にあるエプロンとの隙間にマット苗とエプロン１５との摩擦で剥がれ落ちたマット苗の床土等が挟まれ、リブの下端部が摩耗することによって隙間が拡大し、横移動中のマット苗がその拡大した隙間に引っ掛かって、マット苗の下端部が破損するため、磨耗したリブを交換する場合があった。
しかし、従来の移植機ではリブが苗載面と一体状に接合して形成されていたため、これの交換作業は容易ではなく、かなりの時間を取られると共に、コスト的にも不利である等の不具合があった。
本発明の目的は、上記従来の不具合を改善する点にある。
【０００４】
【課題を解決するための手段】
上記目的を達成するため、本発明においては、左右のマット苗の間を仕切るリブを縦方向に複数設けた苗載台と、該苗載台の下端側に複数の掻取口を有したエプロンを設け、前記苗載台をエプロンに対して左右往復動させながら、前記掻取口から苗植付爪でマット苗を掻取って圃場に植付ける移植機において、前記エプロンに対向するリブの下端部に、リブ本体に連続するリブピースを着脱可能に装着したことを特徴とする。
【０００５】
又、苗載台のリブを、その上壁部において左右に分割した半割リブの突き合わせで構成すると共に、エプロンに対向する左右の半割リブの下端部を突き合わせた状態で、両者をリブピースで結合することを第２の特徴とする。
【０００６】
【発明の実施の形態】
本発明の実施の形態の一例を以下乗用田植機に実施した図面に基づいて説明する。図１は乗用田植機の全体側面図、図２は同上平面図であり、通常の田植機と同様に、１は前後に一対の車輪２，２、３，３を備え、後部には上下揺動する平行リンクを介して田植装置４を装着した走行機体であって、該走行機体１の前部にはエンジン５，予備苗載台６，運転操作用のハンドル７等を配置し、中央部には運転者の座席８を、また、後部に備えた上記田植装置４には、植付フレーム９，苗載台１０，苗植付装置１１・・，フロート１２・・等が備えられている。
【０００７】
更に、１４は苗載台１０の上部後端側に延長して取付けた延長苗載台であり、１５は苗載台１０の下端側に設けたエプロン、１６は図２で明白なように、エプロン１５の左右両側方への突出部をガードするエプロンガード、２２はエプロン１５に設けた掻取口、１８は苗載台１０上のマット苗を前方縦方向に送るゴムベルト、１９は一定の掻取軌跡を描いて回転する複数の苗植付爪２０・・の軌跡をガードするプランタガード、２１は線引きマーカである。
【０００８】
即ち、上記諸装置を備えた本発明の田植機においては、苗載台１０上の各単位苗載面２３・・上に各１条分のマット苗を載置して苗載台１０が上記エプロン１５に対して左右方向へ往復動すると同時に、各苗植付爪２０・・により、エプロン１５の掻取口２２から、マット苗を１株毎に掻取って、田面上に植付けて行くものである。
そして、図示を省略したが、各苗植付爪２０・・を支持するケース上面に設けた取付座にエプロン支持プレートを架設し、該エプロン支持プレートに対してエプロン１５を上下摺動可能に設け、エプロン１５でスライドピースを介して左右方向へ摺動可能に苗載台１０を支持している。
従って、上記１株（単位株）分の掻取量の調節は、従来のエプロン１５のみの上下移動ではなく、エプロン１５と苗載台１０とを苗植付爪２０の掻取軌跡に対して一体的に上下移動させるようにしているものである。
【０００９】
次に、図３は苗載台部分の側面図、図４は図３要部の拡大側面図であって、２４は上記苗載台１０の左右両端部の単位苗載面２３・にのみ設けられた植付け条数調節用の苗送りストッパであり、２５は苗押えホルダであって、これには上記マット苗が走行機体１の振動等で浮き上がったりしないように、弾力を有する杆状の苗押え１７・・が、各単位苗載面２３毎に後方から前方の苗掻取部分の近傍に迄亘って複数本づつ装着されている。
また、２６は苗載台１０を縦方向に各条毎に仕切るリブであり、該リブ２６のエプロン１５に対向した下端部には、リブ本体２７に連続するリブピース３６を着脱可能に装着しており、その詳細については次の図５にて説明する。
【００１０】
図５はリブ下端側の構成を示す説明用斜視図であって、２８は一方の半割リブ２７ａと他方の半割リブ２７ｂとを左右に備えた一対の苗載台プレートであり、一対の半割リブ２７ａ，２７ｂの上壁側に複数個の係合突起２９・・とこれに係合する係合受部３０・・とを形成している。
さらに、これら一対の半割リブ２７ａ，２７ｂはその下端部に、夫々内部にボルト３１とナット３２とを保持する半分づつの空間３３部分がくり抜かれた左右対称形の、一対の嵌合突片３４ａ，３４ｂが夫々一体状に設けられている。
また、苗載台１０の両端部分の苗載枠１０ａ，１０ｂは夫々片側の半割リブ２７ａ及び嵌合突片３４ａ（又は２７ｂ及び３４ｂ）のみを備えている。
そして、苗載台プレート２８・・を左右並列状に配置し、その両端に苗載枠１０ａ，１０ｂを配置して、隣接した一方の半割リブ２７ａに形成された係合突起２９と、他方の半割リブ２７ｂに形成された係合受部３０とを係合させてリブ本体２７を構成すると共に、各苗載台プレート２８・・と苗載枠１０ａ，１０ｂを連結して苗載台１０を構成する。
【００１１】
一方、前記リブピース３６は、上記一対の嵌合突片３４ａ，３４ｂを突き合わせた状態で嵌合する穴部３６ａを設けた合成樹脂材料等による箱型の一体物で形成し、リブピース３６の上部の取付面３６ｂには、上記ボルト３１が挿通されるように穴部３６ｃが穿設されていて、リブピース３６を両嵌合突片３４ａ，３４ｂに被嵌して取付ける際に、予め突き合わせた両嵌合突片３４ａ，３４ｂの空間３３内部にナット３２を入れておき、リブピース３６を被嵌後に上方の穴部３６ｃからボルト３１を挿通して締めつけることによりこれらが固定される。
【００１２】
従って、本発明のものでは、共通部品である複数の苗載台プレート２８・・を組合わせることにより、条数の異なる各種の苗載台１０を安価で簡単に構成出来るばかりか、それらの各苗載台プレート２８・・の連結は、リブ本体２６の上壁部にある複数箇所の係合突起２９・・と係合受部３０・・とによる係合連結部３７・・と、各リブ本体２７下端部分のリブピース３６・・の複数箇所で夫々連結される。
このものでは、苗載台１０を構成する部品点数を少なくすることができると共に、苗載面２３に連結部を形成していないため、マット苗と連結部との引っ掛かりを防止することができる。
なお、３８は片側の半割リブ２７ｂ頂部に他方側の半割リブ２７ａ頂部を覆うように形成されたカバー部である。
【００１３】
本発明の移植機は、以上のような構成よりなっており、田植装置４による苗の植付作業時に、苗載台１０上にマット苗を搭載して植付を開始すると、苗載台１０はエプロン１５に対して左右方向へ往復動する。そしてこの間に上下に植付作動する苗植付爪２０・・によりマット苗を１株分毎に掻取って圃場面に植え付ける。
この際、苗植付爪が横一列分の苗を順次掻取って行き、端部の苗を掻取った時、ゴムベルト１８・・が瞬時に縦方向下方へ一株の掻取量分回動してマット苗をエプロン１５側に繰出し、苗載台１０が今度は反対方向に横移動しながら、苗植付爪２０・・により同様の作用を繰返す。
そして、上記１株分の苗の掻取量を変更したい時、本発明の場合には、別途の操作レバー（図示せず）により、苗載台１０とエプロン１５とを苗植付爪２０の掻取軌跡に対して一体的に上下移動させて行う。
【００１４】
このようにして、苗の植付作業を行う場合、各リブ本体２７・・に装着されたリブピース３６・・は、エプロン１５との隙間を極力小さくして、隣接条との間を仕切る事によりエプロン１５とマット苗下端の摺動抵抗によって、マット苗の下端部分がリブとエプロン１５との間に挟みこまれて破損するのを防止する。
しかしながら、移植機を長時間使用している間に、リブ２６のリブピース３６の下端部とエプロン１５との隙間に、マット苗とエプロン１５との摩擦で剥がれ落ちたマット苗の床土等が挟まれ、リブピース３６が徐々に磨耗して隙間が拡大してくる。
このような時にはリブピース３６を新しいものと交換する必要が生ずる。
【００１５】
即ち、リブピース３６を交換する際には、エプロン１５から苗載台１０を多少浮かせてリブピース３６下端とエプロン１５との間隔を広げ、次にボルト３１を緩めてリブピース３６の上方から引き抜くと共に、リブピース３６を下方に引き抜く。
そして、新しいリブピース３６と交換して再び取付ければ良く、リブピース３６の交換後苗載台１０を元の位置に戻すだけで良く、エプロンを取り外すものとは異なり、苗の掻取量の再調節は必要ない。
【００１６】
従って、リブ部分の交換に当たり、従来はリブ全体を新しいものと交換していたため、これの交換作業にかなりの時間と費用とを必要としていたが、本発明によれば、リブ２６下端部のリブピース３６のみを交換するだけで良く、しかも、リブピース３６を交換する際に、苗の掻取量を再度調節する必要もないので、その操作は迅速・容易となり、メンテナンスが簡単になると共に、コスト的にも有利となるものである。
しかも、リブ２６を一対の半割リブ２７ａ，２７ｂの突き合わせで構成したものでは、リブ２６の下端部分がエプロン１５との摺動による摩擦で開き易くなるにも係わらず、下端の両嵌合突片３４ａ，３４ｂにリブピース３６を外嵌したものでは、これを押さえてしっかりと嵌合する役目を果たすものである。
【００１７】
【発明の効果】
本発明は、前記の如く、左右のマット苗の間を仕切るリブ２６を縦方向に複数設けた苗載台１０と、該苗載台１０の下端側に複数の掻取口２２を有したエプロン１５を設け、前記苗載台１０をエプロン１５に対して左右往復動させながら、前記掻取口２２から苗植付爪２０・・でマット苗を掻取って圃場に植付ける移植機において、前記エプロン１５に対向するリブ２６の下端部に、リブ本体２７に連続するリブピース３６を着脱可能に装着したことにより、移植機の長時間の使用によってリブ２６の下端部３６が磨耗して交換が必要となった場合には、上記リブピース３６のみを交換すれば良く、その交換操作は迅速・容易となり、メンテナンスも簡単になると共に、コスト的にも有利となるものである。
【００１８】
また、苗載台のリブ２６を、その上壁部において左右に分割した半割リブ２７ａ，２７ｂの突き合わせで構成すると共に、エプロン１５に対向する左右の半割リブ２７ａ，２７ｂの下端部を突き合わせた状態で、両者をリブピース１５で結合するので、半割リブ２７ａ，２７ｂの下端部分が左右方向への摺動摩擦で開き易くなるにも係わらず、これを押さえて両者をしっかり嵌合する役目を果たす等有用な効果を奏するものである。
【図面の簡単な説明】
【図１】本願発明装置を備えた乗用田植機の全体側面図である。
【図２】同上全体平面図である。
【図３】同上苗載台部分の側面図である。
【図４】同上図３要部の拡大側面図である。
【図５】同上リブ下端側の摺動部分の構成を示す説明用斜視図である。
【符号の説明】
１　　走行機体
４　　田植装置
１０　苗載台
１５　エプロン
２０　苗植付爪
２３　単位苗載面
２６　リブ
２７　リブ本体
２７ａ，２７ｂ　半割リブ
２８　苗載台プレート
３１　ボルト
３２　ナット
３３　空間
３４ａ，３４ｂ　嵌合突片
３６　リブピース（下端部）
３６ａ，３６ｃ　穴部
【図１】
2004008159.tif 000003
【図２】
2004008159.tif 000004
【図３】
2004008159.tif 000005
【図４】
2004008159.tif 000006
【図５】
2004008159.tif 000007